Podtech/llm-jp-corpus-v4-ja_patent huggingface dataset:
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
式Ｉ：
【化１】
2019077713.tif 000001
［式中、
Ｌ１は、置換されていないか、または、ＯＲ１０、ＮＨ２、ＮＨＲ１０、およびＮ（Ｒ１０）（Ｒ１０’）からなる群から選択される１個または複数の置換基で置換された直鎖または分岐のＣ１〜Ｃ５アルキルであり、ただし、いずれの炭素にも１個を超える酸素または窒素は結合しておらず；あるいは
Ｌ１は、−Ｃ（Ｏ）−Ｃ１〜Ｃ３アルキレニル−、−Ｓ（Ｏ）２−、−Ｓ（Ｏ）２ＮＨ−、−Ｃ（Ｏ）ＮＨ−、−Ｃ（Ｏ）ＮＲ１０−、および結合からなる群から選択され；
Ｒ１０およびＲ１０’はそれぞれ独立して、Ｈと、置換されていないか、または、ＯＨ、Ｏ−Ｃ１〜Ｃ５アルキル、ＯＰＯ３−２Ｍ２、ＯＰ（Ｏ）（ＯＨ）２、ＯＣ（Ｏ）−Ｃ１〜Ｃ６アルキル、およびＯＣ（Ｏ）Ｏ−Ｃ１〜Ｃ６アルキルからなる群から選択される１個もしくは複数の置換基で置換されているＣ１〜Ｃ６アルキル（ここで、Ｍは１価の金属カチオンである）と、置換されていないか、または、ＯＨおよびＯ−Ｃ１〜Ｃ５アルキルからなる群から選択される１個もしくは複数の置換基で置換されているＣ３〜Ｃ１８シクロアルキル（ただし、いずれの炭素にも１個を超える酸素は結合していない）とからなる群から選択され；またはＲ１０とＲ１０’はそれらが結合している窒素と一緒になってヘテロ環を形成していてもよく；
Ｒ１はＣ３〜Ｃ１８シクロアルキル、アリール、またはヘテロアリールであり、それらはいずれも、置換されていないか、または、ＯＨ、ＣＮ、ハロゲン、−Ｃ１〜Ｃ６アルキルアリール、−Ｏ−Ｃ１〜Ｃ６アルキルアリール、Ｏ−Ｒ１０、ＯＰＯ３−２Ｍ２、ＯＰ（Ｏ）（ＯＨ）２、ＳＨ、Ｓ−Ｒ１０、Ｃ１〜Ｃ５アルキル、分岐のＣ１〜Ｃ６アルキル、ＮＨ２、ＮＨＲ１０、ＮＨＳ（Ｏ）２Ｒ１０、Ｎ（Ｒ１０）（Ｒ１０’）、およびＮＨＣＯＲ１０（ここで、Ｍは１価の金属カチオンである）からなる群から選択される１個または複数の置換基で置換されており；
ＸはＯ、Ｓ、−Ｓ（Ｏ）−、および−Ｓ（Ｏ）２−から選択され；
ＹおよびＹ’は独立して、Ｈ、ハロゲン、またはＣ１〜Ｃ５アルキルであり；
Ｌ２は結合であり；
Ｒ２は、置換されていないか、または、１個または複数のハロゲン、ＯＨ、ＯＲ１０、ＣＮ、ＮＨ２、ＮＨＲ１０、Ｎ（Ｒ１０）（Ｒ１０’）、ＳＨ、ＳＲ１０、ＳＯＲ１０、ＳＯ２Ｒ１０、ＳＯ２ＮＨＲ１０、ＳＯ２Ｎ（Ｒ１０）（Ｒ１０’）、ＣＯＮＨ２、ＣＯＮＲ１０、ＣＯＮ（Ｒ１０）（Ｒ１０’）で置換されているフェニルであり；
アリールは、１個または２個の芳香族環を有する環式芳香族炭化水素基であり；
ヘテロアリールは、Ｎ、Ｏ、またはＳから選択される１個または複数の環ヘテロ原子を含み、残りの環原子がＣである、５〜１０個の環原子を有する単環式、二環式または多環式芳香族基である］
の化合物またはその医薬的に許容される塩、溶媒和物、水和物、互変異性体、もしくは立体異性体。
【請求項２】
ＸがＯである、請求項１に記載の化合物またはその医薬的に許容される塩、溶媒和物、水和物、互変異性体、もしくは立体異性体。
【請求項３】
Ｒ１が、それぞれ、ＯＨ、ハロゲン、ＯＲ１０、ＳＨ、ＳＲ１０、ＮＨ２、ＮＨＲ１０およびＮＨＣＯＲ１０からなる群から選択される１個または複数の置換基で置換されている、アリールまたはヘテロアリールである、請求項１に記載の化合物またはその医薬的に許容される塩、溶媒和物、水和物、互変異性体、もしくは立体異性体。
【請求項４】
ＹおよびＹ’が水素である、請求項１に記載の化合物またはその医薬的に許容される塩、溶媒和物、水和物、互変異性体、もしくは立体異性体。
【請求項５】
請求項１から４のいずれか一項に記載の化合物またはその医薬的に許容される塩、溶媒和物、水和物、互変異性体、もしくは立体異性体、および医薬的に許容される担体を含む医薬組成物。
【請求項６】
神経性疾患、脳機能異常、および／または情緒障害を治療するための、請求項５に記載の医薬組成物。
【請求項７】
前記神経性疾患が、パーキンソン病である、請求項６に記載の医薬組成物。
【請求項８】
前記情緒障害が、双極性障害、強迫性障害、外傷後ストレス症候群、または不安から選択される、請求項６に記載の医薬組成物。
【請求項９】
前記情緒障害が大うつ病性障害またはうつ病である、請求項６に記載の医薬組成物。
【請求項１０】
前記情緒障害が難治性または治療抵抗性うつ病である、請求項６に記載の医薬組成物。
【請求項１１】
対象におけるＮＲ２Ｂ受容体をモジュレートするための、請求項５に記載の医薬組成物。
【請求項１２】
前記双極性障害が双極性うつ病である、請求項８に記載の医薬組成物。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
ハイドロキシアパタイトの結晶構造中の水酸化物イオンの少なくとも一部がフッ化物イオンに置換された抗菌性ハイドロキシアパタイト誘導体粒子からなることを特徴とする、ハイドロキシアパタイト誘導体粒子群。
【請求項２】
５．０×１０４個／μＬの所定の微生物と、フッ化物イオン換算で８９．３ｍｍｏｌ／Ｌ以上の濃度で前記抗菌性ハイドロキシアパタイト誘導体粒子と、を共存させた分散液を調製し、当該分散液を培地にスポットし、３７℃で１日培養した後の殺菌率が５０％以上である、請求項１に記載のハイドロキシアパタイト誘導体粒子群。
【請求項３】
５．０×１０４個／μＬの所定の微生物と、フッ化物イオン換算で１７８．６ｍｍｏｌ／Ｌ以上の濃度で前記抗菌性ハイドロキシアパタイト誘導体粒子と、を共存させた分散液を調製し、当該分散液を培地にスポットし、３７℃で１日培養した後の殺菌率が９５％以上である、請求項１に記載のハイドロキシアパタイト誘導体粒子群。
【請求項４】
前記抗菌性ハイドロキシアパタイト誘導体粒子が、焼成ハイドロキシアパタイト誘導体粒子であることを特徴とする、請求項１〜３のいずれか一項に記載のハイドロキシアパタイト誘導体粒子群。
【請求項５】
前記抗菌性ハイドロキシアパタイト誘導体粒子の粒子径が、１０ｎｍ〜１，０００ｎｍの範囲内であることを特徴とする、請求項１〜４のいずれか一項に記載のハイドロキシアパタイト誘導体粒子群。
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
式（１ｂ）の化合物：
【化１】
2019077725.tif 000001
またはその塩であって、
式中、Ｑは、下記から選択される任意選択的に置換されている５員の複素環であり、
【化２−１】
2019077725.tif 000002
【化２−２】
2019077725.tif 000003
【化２−３】
2019077725.tif 000004
【化２−４】
2019077725.tif 000005
【化２−５】
2019077725.tif 000006
【化２−６】
2019077725.tif 000007
Ｒ３は、水素、フッ素、ヒドロキシ、メトキシ、メチル及びシアノから選択され；
Ｒ４は、水素、またはメチルであり；
点線は随意の第二の炭素−炭素結合を示すが、第二の炭素−炭素結合が存在するときにはＲ３は存在しない、
前記化合物またはその塩。
【請求項２】
Ｑが、１または２個の窒素原子を含有する芳香族複素環である、請求項１に記載の化合物。
【請求項３】
Ｑが、イミダゾール環である、請求項２に記載の化合物。
【請求項４】
Ｑが、ピラゾール環である、請求項２に記載の化合物。
【請求項５】
Ｑが、ピロリジン環である、請求項１に記載の化合物。
【請求項６】
下記：
【表１−１】
2019077725.tif 000008
【表１−２】
2019077725.tif 000009
【表１−３】
2019077725.tif 000010
【表１−４】
2019077725.tif 000011
である、請求項１に記載の化合物の医薬的に許容され得る塩。
【請求項７】
下記：
【表２−１】
2019077725.tif 000012
【表２−２】
2019077725.tif 000013
【表２−３】
2019077725.tif 000014
【表２−４】
2019077725.tif 000015
【表２−５】
2019077725.tif 000016
【表２−６】
2019077725.tif 000017
である、請求項１に記載の化合物の医薬的に許容され得る塩。
【請求項８】
下記：
【表３−１】
2019077725.tif 000018
【表３−２】
2019077725.tif 000019
【表３−３】
2019077725.tif 000020
【表３−４】
2019077725.tif 000021
である、請求項１に記載の化合物の医薬的に許容され得る塩。
【請求項９】
エチル２−［４−（１Ｈ−ピラゾール−１−イル）ピペリジン−１−イル］−６−アザスピロ［３．４］オクタン−６−カルボキシレートである、請求項１に記載の化合物の医薬的に許容され得る塩。
【請求項１０】
エチル２−｛４−［（２Ｒ）−４，４−ジフルオロ−２−（ヒドロキシメチル）ピロリジン−１−イル］ピペリジン−１−イル｝−６−アザスピロ［３．４］オクタン−６−カルボキシレートである、請求項１に記載の化合物の医薬的に許容され得る塩。
【請求項１１】
エチル２−｛４−［（２Ｒ）−４，４−ジフルオロ−２−（１−ヒドロキシエチル）ピロリジン−１−イル］ピペリジン−１−イル｝−６−アザスピロ［３．４］オクタン−６−カルボキシレートである、請求項１に記載の化合物の医薬的に許容され得る塩。
【請求項１２】
エチル２−［４−（２−オキソピロリジン−１−イル）ピペリジン−１−イル］−６−アザスピロ［３．４］オクタン−６−カルボキシレートである、請求項１に記載の化合物の医薬的に許容され得る塩。
【請求項１３】
エチル２−｛４−［（２Ｓ）−２−エチル−５−オキソピロリジン−１−イル］ピペリジン−１−イル｝−６−アザスピロ［３．４］オクタン−６−カルボキシレートである、請求項１に記載の化合物の医薬的に許容され得る塩。
【請求項１４】
エチル２−｛４−［（２Ｒ，４Ｓ）−４−フルオロ−２−（メトキシカルボニル）ピロリジン−１−イル］ピペリジン−１−イル｝−６−アザスピロ［３．４］オクタン−６−カルボキシレートである、請求項１に記載の化合物の医薬的に許容され得る塩。
【請求項１５】
エチル２−｛４−［（２Ｒ，４Ｒ）−４−フルオロ−２−（ヒドロキシメチル）ピロリジン−１−イル］ピペリジン−１−イル｝−６−アザスピロ［３．４］オクタン−６−カルボキシレートである、請求項１に記載の化合物の医薬的に許容され得る塩。
【請求項１６】
エチル２−｛４−［（２Ｒ，４Ｓ）−４−フルオロ−２−（ヒドロキシメチル）ピロリジン−１−イル］ピペリジン−１−イル｝−６−アザスピロ［３．４］オクタン−６−カルボキシレートである、請求項１に記載の化合物の医薬的に許容され得る塩。
【請求項１７】
エチル２−［４−（１−メチル−１Ｈ−ピラゾール−５−イル）ピペリジン−１−イル］−６−アザスピロ［３．４］オクタン−６−カルボキシレートである、請求項１に記載の化合物の医薬的に許容され得る塩。
【請求項１８】
請求項１〜１７のいずれか一項において定義する化合物及び医薬的に許容され得る賦形剤を含む医薬組成物。
【請求項１９】
請求項１〜１７のいずれか一項に記載の化合物を含む医薬であって、認知障害若しくは精神病性障害を処置するため、急性、慢性、神経因性、若しくは炎症性疼痛を処置するあるいはそれらの重症度を軽減するため、嗜癖を処置するため、または運動障害を処置ための医薬。
【請求項２０】
請求項１〜１７のいずれか一項に記載の化合物を含む、アルツハイマー病、レビー小体型認知症または統合失調症を処置するための医薬。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
（Ａ）潤滑油基油、
（Ｃ）（Ｃ−１）質量平均分子量４，０００〜７，０００のコハク酸イミド化合物またはホウ素化コハク酸イミド化合物、
（Ｃ−２）質量平均分子量７，０００超〜１０，０００のコハク酸イミド化合物またはホウ素化コハク酸イミド化合物、及び
（Ｄ）リン系極圧剤を含むことを特徴とする潤滑油組成物であって
該潤滑油組成物はジチオリン酸亜鉛を含まず、かつ硫黄系極圧剤を任意で含んでいてもよく、但し該硫黄系極圧剤の含有量は潤滑油組成物中に０．１質量％以下であり、且つ
前記（Ａ）成分の一部または全部として、１００℃での動粘度６〜８０ｍｍ２／ｓを有するポリα−オレフィン又はα−オレフィン共重合体を、潤滑油組成物全体の質量に対して５〜３０質量％で含有する、
前記潤滑油組成物。
【請求項２】
（Ｂ）質量平均分子量１５，０００〜４０，０００を有するポリメタクリレートをさらに含む、請求項１記載の潤滑油組成物。
【請求項３】
（Ｃ−１）成分及び（Ｃ−２）成分の一部または全部がホウ素化コハク酸イミド化合物である、請求項１又は２に記載の潤滑油組成物。
【請求項４】
前記（Ｃ−１）成分または前記（Ｃ−２）成分の各々において、ホウ素化コハク酸イミド化合物の質量に対するホウ素の含有量が０．１〜３質量％である、請求項１〜３のいずれか１項記載の潤滑油組成物。
【請求項５】
前記（Ｃ−１）成分と前記（Ｃ−２）成分の質量比が（Ｃ−２）／（Ｃ−１）＝１〜１０である、請求項１〜４のいずれか１項記載の潤滑油組成物。
【請求項６】
コハク酸イミド化合物が下記式（１）又は（２）で表される、請求項１〜５のいずれか１項記載の潤滑油組成物
【化１】
2018070721.tif 000001
【化２】
2018070721.tif 000002
上記式において、Ｒ１は互いに独立に炭素数４０〜４００のアルキル基またはアルケニル基であり、ｍは１〜２０の整数であり、ｎは０〜２０の整数である。
【請求項７】
１００℃における動粘度３〜１０ｍｍ２／ｓを有する、請求項１〜６のいずれか１項記載の潤滑油組成物。
【請求項８】
粘度指数１５０以上を有する、請求項１〜７のいずれか１項記載の潤滑油組成物。
【請求項９】
（Ｄ）リン系極圧剤が、酸性リン酸エステル、酸性亜リン酸エステル、リン酸エステル、亜リン酸エステル、及びこれらのアミン塩、リン酸、及び亜リン酸から選ばれる少なくとも１種以上である、請求項１〜８に記載の潤滑油組成物。
【請求項１０】
（Ｄ）リン系極圧剤が、酸性リン酸エステル、酸性亜リン酸エステル、リン酸エステル、亜リン酸エステル、及びこれらのアミン塩の中から選ばれる少なくとも１種以上と、リン酸及び亜リン酸から選ばれる少なくとも１種以上との組合せである、請求項９に記載の潤滑油組成物。
【請求項１１】
さらに（Ｅ）金属清浄剤を含有する、請求項１〜１０のいずれか１項記載の潤滑油組成物。
【請求項１２】
さらに（Ｆ）エーテルスルホラン化合物を含有する、請求項１〜１１のいずれか１項記載の潤滑油組成物。
【請求項１３】
無段変速機用である、請求項１〜１２のいずれか１項記載の潤滑油組成物。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
複数の糸をトラバース方向にトラバースさせるためのトラバース装置であって、
前記複数の糸に対して個別に設けられ、糸を保持した状態で前記トラバース方向に往復移動する複数のトラバースガイドと、
前記トラバースガイドが取り付けられた可動部を有し、前記可動部が前記トラバース方向に往復移動する駆動装置と、
前記駆動装置の動作を制御する制御装置と、
を備え、
前記駆動装置は複数設けられており、
前記制御装置は、前記複数の駆動装置のうち一部の駆動装置の可動部が一方の向きに反転するのと同時に、前記複数の駆動装置のうち残りの少なくとも一部の駆動装置の可動部が他方の向きに反転するように、前記複数の駆動装置を制御することを特徴とするトラバース装置。
【請求項２】
前記一部の駆動装置の可動部が一方の向きに反転するのと同時に、前記可動部が他方の向きに反転する前記残りの少なくとも一部の駆動装置の数は、前記一部の駆動装置と同数であることを特徴とする請求項１に記載のトラバース装置。
【請求項３】
１つの前記可動部に、複数の前記トラバースガイドが取り付けられていることを特徴とする請求項１又は２に記載のトラバース装置。
【請求項４】
前記複数の駆動装置のそれぞれの前記可動部には、前記トラバースガイドが同数ずつ取り付けられていることを特徴とする請求項１ないし３の何れか１項に記載のトラバース装置。
【請求項５】
前記トラバースガイドが偶数個設けられており、
前記複数の駆動装置は、前記偶数個のトラバースガイドのうち半数が取り付けられた前記可動部を有する第１駆動装置と、前記偶数個のトラバースガイドのうち残りの半数が取り付けられた前記可動部を有する第２駆動装置と、からなることを特徴とする請求項４に記載のトラバース装置。
【請求項６】
前記複数の駆動装置は、前記トラバース方向に一列に並んでいることを特徴とする請求項１ないし５の何れか１項に記載のトラバース装置。
【請求項７】
前記駆動装置はリニアモータであり、前記可動部は前記リニアモータの可動子であることを特徴とする請求項１ないし６の何れか１項に記載のトラバース装置。
【請求項８】
前記駆動装置は、ボールねじを含んでいることを特徴とする請求項１ないし６の何れか１項に記載のトラバース装置。
【請求項９】
糸をトラバースさせるトラバース速度が８ｍ／ｍｉｎ以上であることを特徴とする請求項１ないし８の何れか１項に記載のトラバース装置。
【請求項１０】
請求項１ないし９の何れか１項に記載のトラバース装置を備える糸巻取装置であって、
前記トラバース装置によってトラバースされた複数の糸を巻き取って複数のパッケージを形成することを特徴とする糸巻取装置。
【手続補正書】
【提出日】令和1年11月1日(2019.11.1)
【手続補正１】
【補正対象書類名】明細書
【補正対象項目名】００３９
【補正方法】変更
【補正の内容】
【００３９】
Ｓ102で、ＣＰＵ1000が指定給紙口に除湿ヒータ300が接続されていると判断した場合は、吸湿による影響を受けやすい用紙の用紙搬送性、排紙積載性の心配はないので、処理をＳ120に進める。
一方、Ｓ102で、ＣＰＵ1000が指定給紙口に除湿ヒータ300が接続されていないと判断した場合は、処理をＳ103に進める。
Ｓ103で、ＣＰＵ1000が薄紙モード以外の厚紙モードなどと判断した場合は、処理をＳ120に進める。
厚紙は、吸湿していても用紙搬送性、排紙積載性を大きく低下させることがないため、このような処理にしている。
このようにすることで、除湿ヒータ300が接続されていない給紙口を指定された場合であっても、用紙搬送性、排紙積載性に影響を与えない条件の場合は、確認メッセージを表示することなく印刷を行うことが可能となる。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
光輝性を有し、フッ素ゴムを含み、
Ｌ＊ａ＊ｂ＊表色系におけるＬ＊値の１５度における値と、１１０度における値との比（Ｌ＊１５／Ｌ＊１１０）が１．１０〜１０．００であることを特徴とするフッ素ゴム成形品。
【請求項２】
２０度鏡面光沢度と６０度鏡面光沢度との比（２０度／６０度）が０．１０〜０．７０である請求項１記載のフッ素ゴム成形品。
【請求項３】
臭気指数相当値がカレー、マスタードいずれかの場合に２０以下である請求項１又は２記載のフッ素ゴム成形品。
【請求項４】
臭気指数相当値がカレー、マスタードいずれの場合でも２０以下である請求項１又は２記載のフッ素ゴム成形品。
【請求項５】
パーオキサイド架橋可能なフッ素ゴム、パーオキサイド系架橋剤、架橋助剤、及び、光輝性顔料を含み、
前記光輝性顔料は、酸化チタン被覆マイカ、酸化鉄被覆マイカ、ガラス基材、ガラスフレーク及び虹彩性フィルムからなる群より選択される少なくとも１種であるフッ素ゴム組成物。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
（Ａ）潤滑油基油、
（Ｃ）（Ｃ-１）質量平均分子量4,000〜7,000のコハク酸イミド化合物またはホウ素化コハク酸イミド化合物、
（Ｃ-２）質量平均分子量7,000超〜10,000のコハク酸イミド化合物またはホウ素化コハク酸イミド化合物、
（Ｄ）（Ｄ−１）アミド系摩擦調整剤
からなることを特徴とする潤滑油組成物であって、
前記（Ａ）成分の一部または全部として、１００℃での動粘度６〜８０ｍｍ２／ｓを有するポリα−オレフィン又はα−オレフィン共重合体を、潤滑油組成物全体の質量に対して５〜３０質量％で含有する、
前記潤滑油組成物。
【請求項２】
（Ｄ）（Ｄ−２）ホウ酸または酸化ホウ素とエポキシドとの反応生成物からなる摩擦調整剤を
さらに含有することを特徴とする請求項１記載の潤滑油組成物。
【請求項３】
（Ｂ）質量平均分子量１５，０００〜４０，０００を有するポリメタクリレートをさらに含む、請求項１又は２記載の潤滑油組成物。
【請求項４】
前記（Ｃ-１）成分および前記（Ｃ−２）成分の一部または全部が、ホウ素化コハク酸イミドであることを特徴とする、請求項１〜３のいずれか１項に記載の潤滑油組成物。
【請求項５】
前記（Ｃ-１）成分および/又は前記（Ｃ−２）成分が各々、ホウ素を前記（Ｃ-１）成分または前記（Ｃ−２）成分の質量に対して０．１〜３質量％の量で含有する、請求項４に記載の潤滑油組成物。
【請求項６】
前記（Ｃ-１）成分と前記（Ｃ−２）成分の質量比が（Ｃ−２）／（Ｃ−１）＝１〜１０である、請求項１〜５のいずれか１項に記載の潤滑油組成物。
【請求項７】
コハク酸イミド化合物が下記式（１）または（２）で表される、請求項１〜６のいずれか１項に記載の潤滑油組成物
【化１】
2018070845.tif 000001
【化２】
2018070845.tif 000002
上記式において、Ｒ１は互いに独立に炭素数４０〜４００のアルキル基またはアルケニル基であり、ｍは１〜２０の整数であり、ｎは０〜２０の整数である。
【請求項８】
１００℃における動粘度３〜１０ｍｍ２／ｓを有する、請求項１〜７のいずれか１項に記載の潤滑油組成物。
【請求項９】
粘度指数１５０以上を有する、請求項１〜８のいずれか１項に記載の潤滑油組成物。
【請求項１０】
前記（Ｄ−１）が炭素数6〜30のアルキル基又はアルケニル基を有する脂肪酸から誘導されるアミド化合物から少なくとも1種以上選択されることを特徴とする請求項１〜９のいずれか１項に記載の潤滑油組成物。
【請求項１１】
前記（Ｄ−２）が下記の一般式で表されるエポキシドとホウ酸または酸化ホウ素との反応生成物、又はその開環物から少なくとも1種以上選択されることを特徴とする請求項２〜１０のいずれか１項に記載の潤滑油組成物。
2018070845.tif 000003
(R1、R2、R3、R4はそれぞれ独立して水素原子、または1個〜３０個の炭素原子を含有する炭化水素基を示し、そのうち少なくとも１個は炭化水素基である。）
【請求項１２】
さらに、（Ｅ）金属清浄剤を含有することを特徴とする請求項１〜１１のいずれか１項に記載の潤滑油組成物。
【請求項１３】
さらに、（Ｆ）エーテルスルホラン化合物を含有することを特徴とする請求項１〜１２いずれか１項に記載の潤滑油組成物。
【請求項１４】
無段変速機用であることを特徴とする請求項１〜１３のいずれか１項に記載の潤滑油組成物。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
０．０７５％（ｗ／ｖ）超の濃度のエピナスチン又はその塩、緩衝剤、等張化剤およびｐＨ調節剤のみを含有する水性点眼液であって、防腐効果を有する、水性点眼液。
【請求項２】
０．１％〜５．０％（ｗ／ｖ）の濃度のエピナスチン又はその塩を含有する、請求項１記載の水性点眼液。
【請求項３】
マルチドーズ型容器またはユニットドーズ型容器に入れられた、請求項１または２に記載の水性点眼液。
【請求項４】
ｐＨが４．０〜８．０である、請求項１〜３のいずれか１項に記載の水性点眼液。
【請求項５】
浸透圧比が０．５〜２．０である、請求項１〜４のいずれか１項に記載の水性点眼液。
【請求項６】
エピナスチン又はその塩を水性点眼液に含ませることによって防腐効力を得る方法であって、前記水性点眼液がエピナスチン又はその塩、緩衝剤、等張化剤およびｐＨ調節剤のみからなり、前記エピナスチン又はその塩の濃度が０．０７５％（ｗ／ｖ）超である、方法。
【手続補正書】
【提出日】令和1年10月30日(2019.10.30)
【手続補正１】
【補正対象書類名】明細書
【補正対象項目名】発明の名称
【補正方法】変更
【補正の内容】
【発明の名称】アルミニウム合金線の製造方法
【手続補正２】
【補正対象書類名】特許請求の範囲
【補正対象項目名】全文
【補正方法】変更
【補正の内容】
【特許請求の範囲】
【請求項１】
Ｆｅを０．００５質量％以上２．２質量％以下含有し、残部がＡｌ及び不可避不純物からなるアルミニウム合金の溶湯を鋳造して、鋳造材を製造する工程と、
前記鋳造材に塑性加工を施して塑性加工材を製造する工程と、
前記塑性加工材に伸線加工を施して伸線材を製造する工程と、
前記伸線加工の途中又は前記伸線材を製造する工程以降に熱処理を施す工程とを備え、
前記鋳造材を製造する工程において、前記溶湯の温度を液相線温度以上７５０℃未満とする、
アルミニウム合金線の製造方法。
【手続補正書】
【提出日】令和1年10月30日(2019.10.30)
【手続補正１】
【補正対象書類名】明細書
【補正対象項目名】発明の名称
【補正方法】変更
【補正の内容】
【発明の名称】アルミニウム合金線の製造方法
【手続補正２】
【補正対象書類名】特許請求の範囲
【補正対象項目名】全文
【補正方法】変更
【補正の内容】
【特許請求の範囲】
【請求項１】
Ｍｇを０．０３質量％以上１．５質量％以下、Ｓｉを０．０２質量％以上２．０質量％以下含有し、質量比でＭｇ／Ｓｉが０．５以上３．５以下であり、残部がＡｌ及び不可避不純物からなるアルミニウム合金の溶湯を鋳造して、鋳造材を製造する工程と、
前記鋳造材に塑性加工を施して中間加工材を製造する工程と、
前記中間加工材に伸線加工を施して伸線材を製造する工程と、
前記伸線加工の途中又は前記伸線材を製造する工程以降に熱処理を施す工程とを備え、
前記鋳造材を製造する工程において、前記溶湯の温度を液相線温度以上７５０℃未満とする、
アルミニウム合金線の製造方法。
【手続補正３】
【補正対象書類名】明細書
【補正対象項目名】００３９
【補正方法】変更
【補正の内容】
【００３９】
［アルミニウム合金線］
（概要）
実施形態のアルミニウム合金線（Ａｌ合金線）２２は、アルミニウム合金（Ａｌ合金）から構成される線材であり、代表的には、電線の導体２などに利用される（図１）。この場合、Ａｌ合金線２２は、単線、又は複数のＡｌ合金線２２が撚り合わされてなる撚線（実施形態のＡｌ合金撚線２０）、又は撚線が所定の形状に圧縮成形されてなる圧縮撚線（実施形態のＡｌ合金撚線２０の別例）の状態で利用される。図１では７本のＡｌ合金線２２が撚り合わされたＡｌ合金撚線２０を例示する。実施形態のＡｌ合金線２２は、Ａｌ合金がＭｇ及びＳｉを特定の範囲で含むという特定の組成を有すると共に、Ａｌ合金線２２の表層に存在する気泡が少ないという特定の組織を有する。詳しくは、実施形態のＡｌ合金線を構成するＡｌ合金は、Ｍｇを０．０３％以上１．５％以下、Ｓｉを０．０２％以上２．０％以下含有し、質量比でＭｇ／Ｓｉが０．５以上３．５以下であり、残部がＡｌ及び不純物からなるＡｌ−Ｍｇ−Ｓｉ系合金である。また、実施形態のＡｌ合金線２２は、その横断面において、その表面から深さ方向に３０μｍまでの表層領域からとった以下の領域（表層気泡測定領域と呼ぶ）に存在する気泡の合計断面積が２μｍ２以下である。表層気泡測定領域は、短辺長さが３０μｍであり、長辺長さが５０μｍである長方形の領域とする。上述の特定の組成を有すると共に特定の組織を有する実施形態のＡｌ合金線２２は、製造過程で時効処理などを受けることで高強度である上に、気泡に起因する破断も低減できるため、耐衝撃性、疲労特性にも優れる。
以下、より詳細に説明する。なお、気泡の大きさなどといった各パラメータの測定方法の詳細、上述の効果の詳細は試験例で説明する。
【手続補正４】
【補正対象書類名】明細書
【補正対象項目名】０１１９
【補正方法】変更
【補正の内容】
【０１１９】
【表１３】
2018070991.tif 000001
【手続補正５】
【補正対象書類名】明細書
【補正対象項目名】０１２０
【補正方法】変更
【補正の内容】
【０１２０】
【表１４】
2018070991.tif 000002
【手続補正６】
【補正対象書類名】明細書
【補正対象項目名】０１２１
【補正方法】変更
【補正の内容】
【０１２１】
【表１５】
2018070991.tif 000003
【手続補正７】
【補正対象書類名】明細書
【補正対象項目名】０１２２
【補正方法】変更
【補正の内容】
【０１２２】
【表１６】
2018070991.tif 000004
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
シートの第１面に接する第１ローラと、シートの第２面に接する第２ローラを含み、前記第１ローラと前記第２ローラとによりシートを挟持してシートを搬送方向に搬送する搬送手段と、
前記搬送手段の前記搬送方向における上流に設けられ、シートの第１面を案内する第１の搬送ガイドと、
前記第１の搬送ガイドと対向して設けられ、シートの第２面を案内する第２の搬送ガイドと、
前記第１ローラの軸に配置され、前記第１ローラより大きい外径を有する回転部と、
前記第１の搬送ガイドに設けられ、前記搬送方向に直交するシート幅方向において前記回転部に対応した位置に配置され、対向する前記第２の搬送ガイドとの間隔が前記搬送方向の下流に行くにしたがって狭くなるように配置された案内部と、を有することを特徴とするシート排出装置。
【請求項２】
前記第１ローラは駆動ローラであり、前記第２ローラは前記駆動ローラに従動する従動ローラであることを特徴とする請求項１に記載のシート排出装置。
【請求項３】
前記案内部によって案内されるシートの前記回転部への侵入角度が、シートの前記第１ローラへの侵入角度と同じになるように、前記案内部が形成されていることを特徴とする請求項１又は２に記載のシート排出装置。
【請求項４】
前記第２の搬送ガイドの前記第２ローラに対応する位置に、対向する前記第１の搬送ガイドとの間隔が前記搬送方向の下流に行くにしたがって狭くなる第２の案内部を設けたことを特徴とする請求項１乃至３のいずれか１項に記載のシート排出装置。
【請求項５】
前記回転部は、前記第１ローラと前記第２ローラにより挟持されているシートを撓ませることを特徴とする請求項１乃至４のいずれか１項に記載のシート排出装置。
【請求項６】
前記搬送手段は、シートを前記シート排出装置外へ排出することを特徴とする請求項１乃至５のいずれか１項に記載のシート排出装置。
【請求項７】
シートに画像を形成する画像形成部と、
シートの第１面に接する第１ローラと、シートの第２面に接する第２ローラを含み、前記第１ローラと前記第２ローラとによりシートを挟持してシートを搬送方向に搬送する搬送手段と、
前記搬送手段の前記搬送方向における上流に設けられ、シートの第１面を案内する第１の搬送ガイドと、
前記第１の搬送ガイドと対向して設けられ、シートの第２面を案内する第２の搬送ガイドと、
前記第１ローラの軸に配置され、前記第１ローラより大きい外径を有する回転部と、
前記第１の搬送ガイドに設けられ、前記搬送方向に直交するシート幅方向において前記回転部に対応した位置に配置され、対向する前記第２の搬送ガイドとの間隔が前記搬送方向の下流に行くにしたがって狭くなるように配置された案内部と、を有することを特徴とする画像形成装置。
【請求項８】
前記第１ローラは駆動ローラであり、前記第２ローラは前記駆動ローラに従動する従動ローラであることを特徴とする請求項７に記載の画像形成装置。
【請求項９】
前記案内部によって案内されるシートの前記回転部への侵入角度が、シートの前記第１ローラへの侵入角度と同じになるように、前記案内部が形成されていることを特徴とする請求項７又は８に記載の画像形成装置。
【請求項１０】
前記第２の搬送ガイドの前記第２ローラに対応する位置に、対向する前記第１の搬送ガイドとの間隔が前記搬送方向の下流に行くにしたがって狭くなる第２の案内部を設けたことを特徴とする請求項７乃至９のいずれか１項に記載の画像形成装置。
【請求項１１】
前記回転部は、前記第１ローラと前記第２ローラにより挟持されているシートを撓ませることを特徴とする請求項７乃至１０のいずれか１項に記載の画像形成装置。
【請求項１２】
前記搬送手段は、シートを前記画像形成装置外へ排出することを特徴とする請求項７乃至１１のいずれか１項に記載の画像形成装置。
【手続補正２】
【補正対象書類名】明細書
【補正対象項目名】０００８
【補正方法】変更
【補正の内容】
【０００８】
上記目的を達成するため、本発明は、シートの第１面に接する第１ローラと、シートの第２面に接する第２ローラを含み、前記第１ローラと前記第２ローラとによりシートを挟持してシートを搬送方向に搬送する搬送手段と、前記搬送手段の前記搬送方向における上流に設けられ、シートの第１面を案内する第１の搬送ガイドと、前記第１の搬送ガイドと対向して設けられ、シートの第２面を案内する第２の搬送ガイドと、前記第１ローラの軸に配置され、前記第１ローラより大きい外径を有する回転部と、前記第１の搬送ガイドに設けられ、前記搬送方向に直交するシート幅方向において前記回転部に対応した位置に配置され、対向する前記第２の搬送ガイドとの間隔が前記搬送方向の下流に行くにしたがって狭くなるように配置された案内部と、を有することを特徴とする。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
豆乳醗酵液、セイヨウニワトコ抽出物を有効成分として１種以上を含有する前駆脂肪細胞増殖促進剤。
【誤訳訂正書】
【提出日】令和1年6月6日(2019.6.6)
【誤訳訂正１】
【訂正対象書類名】特許請求の範囲
【訂正対象項目名】請求項１
【訂正方法】変更
【訂正の内容】
【請求項１】
２〜２５の不透明化顔料容積濃度％（ＯＰＶＣ％）を有し、（ｉ）少なくとも部分的にポリマーにカプセル化された不透明化顔料、ポリマー不透明化顔料複合体、及びそれらの混合物から選択され、前記不透明化顔料が、５℃以下の測定ガラス転移温度（測定Ｔｇ）を有する少なくとも１つの軟質ポリマー中にカプセル化されかつ／または５℃以下の測定ガラス転移温度（測定Ｔｇ）を有する少なくとも１つの軟質ポリマーとの複合体である、粒子の形状である少なくとも１つの不透明化剤組成物と、（ｉｉ）少なくとも３０℃、または好ましくは、少なくとも５０℃の測定Ｔｇを有する硬質結合剤ポリマーと、を含み、前記硬質結合剤ポリマーが１２０ｎｍ以下の重量平均粒径を有し、さらに前記不透明化剤組成物の重量平均粒径と前記硬質結合剤ポリマーの重量平均粒径との比が、２：１〜１２：１であり、なおもさらに前記不透明化剤組成物中の前記不透明化顔料と前記軟質ポリマー固形分との容積比が、２：５〜１：１２である、水性組成物。
【誤訳訂正２】
【訂正対象書類名】明細書
【訂正対象項目名】０００１
【訂正方法】変更
【訂正の内容】
【０００１】
本発明は、良好な耐ブロック性及び硬度ならびに適切な光沢を備えるコーティングを提供する、金属直接（ＤＴＭ）塗布用のコーティング組成物を作製するのに使用するための、極めて低い（＜２５ｇ／ｌ）またはゼロの揮発性有機含量（ＶＯＣ）を有する水性組成物に関する。より具体的には、２５以下、または好ましくは２０以下の不透明化顔料容積濃度％（ＯＰＶＣ％）を有し、少なくとも部分的にポリマーにカプセル化された不透明化顔料、ポリマー不透明化顔料複合体、及びそれらの混合物から選択され、前記不透明化顔料（好ましくはＴｉＯ２）が、５℃以下、または好ましくは０℃以下の測定ガラス転移温度（測定Ｔｇ）を有する少なくとも１つの軟質ポリマー中にカプセル化されかつ／または５℃以下、または好ましくは０℃以下の測定ガラス転移温度（測定Ｔｇ）を有する少なくとも１つの軟質ポリマーとの複合体である、粒子の形状である不透明化組成物と、さらに、少なくとも３０℃、または好ましくは、少なくとも５０℃のＴｇを有する少なくとも１つの硬質結合剤ポリマー組成物と、を含み、硬質結合剤ポリマーが１５０ｎｍ以下、または１２０ｎｍ以下、または好ましくは１００ｎｍ以下の重量平均粒径を有し、さらに不透明化組成物の重量平均粒径と硬質結合剤ポリマーの重量平均粒径との比が、少なくとも２：１〜最大１２：１、または１０：１以下、または好ましくは、少なくとも３：１である、水性組成物に関する。
【誤訳訂正３】
【訂正対象書類名】明細書
【訂正対象項目名】０００５
【訂正方法】変更
【訂正の内容】
【０００５】
１．本発明によると、２〜２５、または好ましくは２０以下の不透明化顔料容積濃度％（ＯＰＶＣ％）を有し、（ｉ）少なくとも部分的にポリマーにカプセル化された不透明化顔料、ポリマー不透明化顔料複合体、及びそれらの混合物から選択され、前記不透明化顔料が、好ましくは二酸化チタン（ＴｉＯ２）を含み、−６０℃〜５ ℃などの、５℃以下、または好ましくは０℃以下の測定ガラス転移温度（測定Ｔｇ）を有する少なくとも１つの軟質ポリマー中にカプセル化されかつ／または−６０℃〜５ ℃などの、５℃以下、または好ましくは０℃以下の測定ガラス転移温度（測定Ｔｇ）を有する少なくとも１つの軟質ポリマーとの複合体である、粒子の形状である少なくとも１つの不透明化組成物と、（ｉｉ）少なくとも３０℃ 、または好ましくは、少なくとも５０℃の測定Ｔｇを有する硬質結合剤ポリマーと、を含み、硬質結合剤ポリマーが４０〜１５０ｎｍ、または１２０ｎｍ以下、または好ましくは５０ｎｍ以上、または好ましくは１００ｎｍ以下の重量平均粒径を有し、さらに不透明化組成物の重量平均粒径と硬質結合剤ポリマーの重量平均粒径との比が、少なくとも２：１〜最大１２：１、または１０：１以下、または好ましくは、少なくとも３：１であり、なおもさらに、全（ｉ）不透明化組成物中の不透明化顔料と軟質ポリマー固形分との容積比が、２：５〜１：１２、または好ましくは１：３〜１：９である、水性組成物。
【誤訳訂正書】
【提出日】令和1年6月5日(2019.6.5)
【誤訳訂正１】
【訂正対象書類名】特許請求の範囲
【訂正対象項目名】全文
【訂正方法】変更
【訂正の内容】
【特許請求の範囲】
【請求項１】
白金を無電解堆積するための溶液であって、
Ｔｉ3+イオンと、
白金イオンと、
ＮＨ4+イオン、およびクエン酸、グルコン酸または酒石酸のイオンと、
を含み、
ホウ素、リン、ヒドラジン、およびホルムアルデヒドを含まない、溶液。
【請求項２】
請求項１に記載の溶液であって、
６以上１０以下のｐＨを有する、溶液。
【請求項３】
請求項２に記載の溶液であって、さらに
Ｃｌ-イオンを含む、溶液。
【請求項４】
請求項３に記載の溶液であって、
Ｔｉ3+イオンの濃度が２５〜７５ｍＭである、溶液。
【請求項５】
請求項１に記載の溶液であって、
前記白金イオンがＰｔ4+イオンである、溶液。
【請求項６】
請求項５に記載の溶液であって、
Ｔｉ3+イオン：Ｐｔ4+イオンの比が、１００：１〜２：１の間である、溶液。
【請求項７】
白金含有層の無電解めっきを提供するための方法であって、
Ｔｉ3+安定化溶液を提供するステップと、
Ｐｔ4+安定化溶液を提供するステップと、
前記Ｔｉ3+安定化溶液からの流れを、前記Ｐｔ4+安定化溶液および水からの流れと混合して、Ｔｉ3+安定化溶液とＰｔ4+安定化溶液との希釈混合物を提供するステップと、
前記Ｔｉ3+安定化溶液と前記Ｐｔ4+安定化溶液との前記希釈混合物に基板を露出させるステップと
を含み、
前記希釈混合物が、ホウ素、リン、ヒドラジン、およびホルムアルデヒドを含まない、方法。
【請求項８】
請求項７に記載の方法であって、
前記Ｔｉ3+安定化溶液と前記Ｐｔ4+安定化溶液との前記希釈混合物に前記基板を露出させるステップが、
１０℃以上４０℃以下の溶液温度を提供するステップと、
６以上１０以下のｐＨを提供するステップと
を含む、方法。
【請求項９】
請求項８に記載の方法であって、
前記Ｔｉ3+安定化溶液と前記Ｐｔ4+安定化溶液との前記希釈混合物に前記基板を露出させるステップが、２５〜７５ｍＭの間の濃度でＴｉ3+を提供する、方法。
【請求項１０】
請求項９に記載の方法であって、さらに、
前記希釈混合物を堆積するステップを含む、方法。
【請求項１１】
請求項１０に記載の方法であって、
前記白金含有層が、９９．９％の純白金である、方法。
【請求項１２】
請求項９に記載の方法であって、さらに、
前記希釈混合物を再活性化するステップを含む、方法。
【請求項１３】
請求項９に記載の方法であって、
前記Ｔｉ3+安定化溶液が、ＴｉＣｌ3とＨＣｌの溶液を含む、方法。
【請求項１４】
請求項１３に記載の方法であって、
前記Ｐｔ4+安定化溶液が、Ｈ2ＰｔＣｌ6、水酸化アンモニウム、およびグルコン酸三ナトリウムまたはグルコン酸の溶液を含む、方法。
【請求項１５】
請求項１４に記載の方法であって、
前記Ｔｉ3+安定化溶液が、さらにＮＨ4ＯＨを含む、方法。
【請求項１６】
白金を無電解堆積するための溶液であって、
Ｔｉ3+イオンと、
Ｐｔ4+イオンと、
ＮＨ4+イオン、およびクエン酸、グルコン酸または酒石酸のイオンと、
を含み、
ホウ素、リン、ヒドラジン、およびホルムアルデヒドを含まず、
Ｔｉ3+イオン：Ｐｔ4+イオンの比が１００：１〜２：１の間である、溶液。
【請求項１７】
請求項１６に記載の溶液であって、
６以上１０以下のｐＨを有する、溶液。
【請求項１８】
請求項１７に記載の溶液であって、さらに、
Ｃｌ-イオンを含む、溶液。
【請求項１９】
請求項１８に記載の溶液であって、
Ｔｉ3+イオンの濃度が２５〜７５ｍＭである、溶液。
【請求項２０】
白金層の無電解めっきを提供するための方法であって、
白金を無電解堆積するための溶液を提供するステップと、
前記溶液に基板を露出させて、白金の無電解堆積を行うステップと、を含み、
前記溶液が、
Ｔｉ3+イオンと、
Ｐｔ4+イオンと、
ＮＨ4+イオン、およびクエン酸、グルコン酸または酒石酸のイオンと、
を含み、
ホウ素、リン、ヒドラジン、およびホルムアルデヒドを含まず、
Ｔｉ3+イオン：Ｐｔ4+イオンの比が１００：１〜２：１の間である、方法。
【請求項２１】
請求項２０に記載の方法であって、
前記溶液を提供する前記ステップが、６以上１０以下のｐＨで、かつ１０℃以上４０℃以下の温度で前記溶液を提供する、方法。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
一対の電極間に発光層を有する発光素子であって、
前記発光素子は、第１の発光層と、第２の発光層と、を有し、
前記第１の発光層は、蛍光材料を有し、
前記第２の発光層は、燐光材料を有し、
前記第１の発光層から射出される第１の発光スペクトルと、前記第２の発光層から射出される第２の発光スペクトルと、のピーク値の差が、３０ｎｍ以内である、発光素子。
【請求項２】
一対の電極間に発光層を有する発光素子であって、
前記発光素子は、第１のＥＬ層と、第２のＥＬ層と、を有し、
前記第１のＥＬ層は、第１の発光層と、第２の発光層と、を有し、
前記第１の発光層は、蛍光材料を有し、
前記第２の発光層は、第１の燐光材料を有し、
前記第２のＥＬ層は、第３の発光層を有し、
前記第３の発光層は、第２の燐光材料を有し、
前記第１の発光層から射出される第１の発光スペクトルと、前記第２の発光層から射出される第２の発光スペクトルと、のピーク値の差が、３０ｎｍ以内である、発光素子。
【請求項３】
一対の電極間に発光層を有する発光素子であって、
前記発光素子は、第１のＥＬ層と、第２のＥＬ層と、を有し、
前記第１のＥＬ層は、第１の発光層と、第２の発光層と、を有し、
前記第１の発光層は、蛍光材料を有し、
前記第２の発光層は、第１の燐光材料を有し、
前記第２のＥＬ層は、第３の発光層と、第４の発光層と、を有し、
前記第３の発光層は、第２の燐光材料を有し、
前記第４の発光層は、第３の燐光材料を有し、
前記第１の発光層から射出される第１の発光スペクトルと、前記第２の発光層から射出される第２の発光スペクトルと、のピーク値の差が、３０ｎｍ以内である、発光素子。
【請求項４】
請求項１乃至請求項３のいずれか一において、
前記蛍光材料と、前記第１の燐光材料とは、同色または同系色に発光する、発光素子。
【請求項５】
請求項１乃至請求項３のいずれか一において、
前記第１の発光スペクトルと、前記第２の発光スペクトルとは、
青色の波長領域に前記ピーク値を有する、発光素子。
【請求項６】
請求項１乃至請求項５のいずれか一に記載の発光素子と、
カラーフィルタと、
を有する発光装置。
【請求項７】
請求項１乃至請求項５のいずれか一に記載の発光素子、または請求項６に記載の発光装置と、
タッチセンサと、
を有する電子機器。
【請求項８】
請求項１乃至請求項５のいずれか一に記載の発光素子、または請求項７に記載の電子機器と、
筐体と、
を有する照明装置。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
第１の電極と、第２の電極と、前記第１の電極および前記第２の電極の間に設けられたＥＬ層と、を有する発光素子であって、
前記ＥＬ層は、第１の領域と、第２の領域と、を有し、
前記第１の領域は、第１の注入層と、第１の発光層と、第２の発光層と、を有し、
前記第２の領域は、第２の注入層と、前記第１の発光層と、前記第２の発光層と、を有し、
前記第１の注入層は、前記第１の電極に接する領域を有し、
前記第２の注入層は、前記第１の電極に接する領域を有し、
前記第１の発光層は、第１の発光材料と、第１のホスト材料と、を有し、
前記第２の発光層は、第２の発光材料と、第２のホスト材料と、を有し、
前記第１の発光材料は、前記第２の発光材料とは異なる発光スペクトルを有する発光を呈する機能を有し、
前記第１の領域が呈することができる光の色は、前記第２の領域が呈することができる光の色と、異なる、発光素子。
【請求項２】
第１の電極と、第２の電極と、第３の電極と、ＥＬ層と、を有する発光素子であって、
前記ＥＬ層は、第１の領域と、第２の領域と、を有し、
前記第１の領域は、前記第１の電極と前記第２の電極との間に設けられ、
前記第２の領域は、前記第２の電極と前記第３の電極との間に設けられ、
前記第１の領域は、第１の注入層と、第１の発光層と、第２の発光層と、を有し、
前記第２の領域は、第２の注入層と、前記第１の発光層と、前記第２の発光層と、を有し、
前記第１の注入層は、前記第１の電極に接する領域を有し、
前記第２の注入層は、前記第３の電極に接する領域を有し、
前記第１の発光層は、第１の発光材料と、第１のホスト材料と、を有し、
前記第２の発光層は、第２の発光材料と、第２のホスト材料と、を有し、
前記第１の発光材料は、前記第２の発光材料とは異なる発光スペクトルを有する発光を呈する機能を有し、
前記第１の領域が呈することができる光の色は、前記第２の領域が呈することができる光の色と、異なる、発光素子。
【請求項３】
第１の電極と、第２の電極と、第３の電極と、ＥＬ層と、を有する発光素子であって、
前記ＥＬ層は、第１の領域と、第２の領域と、を有し、
前記第１の領域は、前記第１の電極と前記第２の電極との間に設けられ、
前記第２の領域は、前記第２の電極と前記第３の電極との間に設けられ、
前記第１の領域は、第１の注入層と、第１の発光層と、第２の発光層と、を有し、
前記第２の領域は、第２の注入層と、前記第１の発光層と、前記第２の発光層と、を有し、
前記第１の注入層は、前記第２の電極に接する領域を有し、
前記第２の注入層は、前記第２の電極に接する領域を有し、
前記第１の発光層は、第１の発光材料と、第１のホスト材料と、を有し、
前記第２の発光層は、第２の発光材料と、第２のホスト材料と、を有し、
前記第１の発光材料は、前記第２の発光材料と異なる発光スペクトルを有する発光を呈する機能を有し、
前記第１の領域が呈することができる光の色は、前記第２の領域が呈することができる光の色と、異なる、発光素子。
【請求項４】
請求項２または請求項３において、
前記第１の電極と、前記第３の電極と、が同じ材料を有する領域を有する、発光素子。
【請求項５】
請求項１乃至請求項４のいずれか一項において、
前記第１の注入層の導電率は、前記第２の注入層の導電率と異なる、発光素子。
【請求項６】
請求項１乃至請求項５のいずれか一項において、
前記第１の発光材料は、紫色、青色、または青緑色の中から選ばれる、少なくとも一つの波長領域に発光スペクトルピークを呈する機能を有し、
前記第２の発光材料は、緑色、黄緑色、黄色、橙色、または赤色の中から選ばれる、少なくとも一つの波長領域に発光スペクトルピークを呈する機能を有する、発光素子。
【請求項７】
請求項１乃至請求項６のいずれか一項において、
前記第１のホスト材料の一重項励起エネルギー準位は、前記第１の発光材料の一重項励起エネルギー準位より高く、
前記第１のホスト材料の三重項励起エネルギー準位は、前記第１の発光材料の三重項励起エネルギー準位より低い、発光素子。
【請求項８】
請求項１乃至請求項７のいずれか一項において、
前記第２のホスト材料は、第１の化合物と、第２の化合物と、を有し、
前記第１の化合物と、前記第２の化合物と、が励起錯体を形成する、発光素子。
【請求項９】
請求項８において、
前記第１のホスト材料の三重項励起エネルギー準位は、前記第１の化合物の三重項励起エネルギー準位より低く、
前記第１のホスト材料の三重項励起エネルギー準位は、前記第２の化合物の三重項励起エネルギー準位より低い、発光素子。
【請求項１０】
請求項１乃至請求項９のいずれか一項において、
前記第１の発光層と、前記第２の発光層、とが接する領域を有する、発光素子。
【請求項１１】
請求項１乃至請求項１０のいずれか一項において、
前記第１の発光材料は、一重項励起エネルギーを発光に変換できる機能を有し、
前記第２の発光材料は、三重項励起エネルギーを発光に変換できる機能を有する、発光素子。
【請求項１２】
請求項１乃至請求項１１のいずれか一項に記載の発光素子と、カラーフィルタ及びトランジスタの少なくとも一と、を有する表示装置。
【請求項１３】
請求項１２に記載の表示装置と、筐体またはタッチセンサの少なくとも一と、を有する電子機器。
【請求項１４】
請求項１乃至請求項１１のいずれか一項に記載の発光素子と、筐体またはタッチセンサの少なくとも一と、を有する照明装置。